(57)【要約】  人毛又は人工毛が植設される網地状基布の縁部の一部又は全周に沿って当て付けた当付部材に、網地状基布の縁部をいせこみながら縫いつけることにより内側への反り返りを形成し、外側への縁部の反り返りを生じさせないようにする。また、網地状基布の縁部外周を裏側に１回以上折り返してこの裏側の折り返し部分を寄せ込みながら表側縁部に縫い付けて内側への反り返りを形成する。また、網地状基布に連結されこの網地状基布の表面又は裏面に二重に配置される他の網地状基布を有し、裏側に配置された網地状基布を裏側に引き込むようにずらし、表側に配置された網地状基布の縁部をずらし量に対応して裏側にずらし込み内側への反り返りを形成する。
2008149555.tif 000002
【特許請求の範囲】
【請求項１】
人毛又は人工毛が植設される網地状基布から成り、
該網地状基布の縁部外周の少なくとも一部が内側へ湾曲して形成されている、
ことを特徴とするかつらベース。
【請求項２】
前記湾曲して形成されている部分は、前記網地状基布の縁部外周の裏側に沿って当て付けた当付部材に対して前記網地状基布の縁部外周を寄せ込みながら縫い付けることにより形成されている、ことを特徴とする請求項１のかつらベース。
【請求項３】
前記湾曲して形成されている部分は、前記網地状基布の縁部外周を裏側に１回以上折り返して該裏側の折り返し部分を寄せ込みながら表側縁部に縫い付けることにより形成されている、ことを特徴とする請求項１のかつらベース。
【請求項４】
前記湾曲して形成されている部分は、前記網地状基布に連結され該網地状基布の表面又は裏面に二重に配置される他の網地状基布を有し、前記裏側に配置された網地状基布を裏側に引き込むようにずらし、前記表側に配置された網地状基布の縁部を前記ずらし量に対応して裏側にずらし込むことにより形成されている、ことを特徴とする請求項１記載のかつらベース。
【請求項５】
前記湾曲して形成されている部分は、前記網地状基布の前部装着部である、ことを特徴とする請求項１、２、３又は４記載のかつらベース。
【請求項６】
前記湾曲して形成されている部分は、前記編地状基布の縁全周である、ことを特徴とする請求項１、２、３又は４記載のかつらベース。
【請求項７】
前記網地状基布は、外周の一部が波形に形成されている、ことを特徴とする請求項１、２、３又は４記載のかつらベース。
【請求項８】
前記網地状基布は、全外周が波形に形成されている、ことを特徴とする請求項１、２、３又は４記載のかつらベース。
【請求項９】
前記湾曲して形成されている部分は、前記波形に形成されている部分に形成されている、ことを特徴とする請求項７記載のかつらベース。
【発明の詳細な説明】
【技術分野】
【０００１】
本発明は、人毛又は人工毛が植設される網地状基布を備えたかつらベースに関する。
【背景技術】
【０００２】
従来、かつらを愛用する人々がいる。かつらは、おしゃれ用に用いる場合もあるが、多くの場合、薄毛に悩む人が外見上実際の頭髪が増えているように見せるために着用する。したがって、かつらに対しては、実際の頭髪であるような形状を有していることが要求される。【０００３】
特にかつらを使用したときの前頭部分、こめかみ部分、襟足部分などの生え際は、使用者がかつらを装着した際に目立ちやすい部分である。例えば、使用者が櫛などで梳かすことでかつらにゆがみが生じ、かつらの縁部分つまり生え際部分が外側に反り返えったりすると、見栄えを損なってしまう。【０００４】
そこで、かつらベースのこめかみ部や襟足部に、頭部形状に合わせて湾曲させた金属材料からなる芯材を設けて、外側に反り返ることを防止させて頭部に密着させるものが提案されている（特許文献１参照）。【０００５】
しかしながら、特許文献１のかつらベースは、かつらベースのこめかみ部及び襟足部に有した金属材料からなる芯材が使用者の装着感に違和感を与えるという問題がある。特に夏場には、使用者の汗などに金属材料のイオンが溶け出して、使用者の頭部にアレルギーを生じさせるおそれが多分にある。【０００６】
また、この芯材を有した部分は他の部分よりも厚みが生じてしまう。特に、この部分は生え際部分であるため、厚みを生じることは外観上目立つので好ましくない。
【特許文献１】特開２０００−９６３２７号公報
【発明の開示】
【０００７】
本発明の課題は、前記従来の実状に鑑み、金属材料の芯材を用いることなく縁部の反り返りが生じないかつらベースを提供することである。
本発明のかつらベースは、人毛又は人工毛が植設される網地状基布から成り、該網地状基布の縁部外周の少なくとも一部が内側へ湾曲して形成されているように構成される。
【０００８】
上記湾曲して形成されている部分は、例えば、上記網地状基布の縁部外周の裏側に沿って当て付けた当付部材に対して上記網地状基布の縁部外周を寄せ込みながら縫い付けることにより形成されるようにしてもよく、また、例えば、上記網地状基布の縁部外周を裏側に１回以上折り返して該裏側の折り返し部分を寄せ込みながら表側縁部に縫い付けることにより形成されているようにしてもよい。
【０００９】
また、上記湾曲して形成されている部分は、上記網地状基布に連結され該網地状基布の表面又は裏面に二重に配置される他の網地状基布を有し、上記裏側に配置された網地状基布を裏側に引き込むようにずらし、上記表側に配置された網地状基布の縁部を上記ずらし量に対応して裏側にずらし込むことにより形成されるようにしてもよい。
【００１０】
また、上記湾曲して形成されている部分は、例えば、上記網地状基布の前部装着部であってもよく、また、例えば、上記編地状基布の縁全周であってもよい。
また、上記網地状基布は、例えば、外周の一部が波形に形成されるように構成してもよく、また、全外周が波形に形成されるように構成してもよい。
【００１１】
この場合、例えば、上記湾曲して形成されている部分は、上記波形に形成されている部分に形成されるのが好ましい。
本発明によれば、金属材料の芯材を用いることなく縁部の外側への反り返りが生じないかつらベースを提供することが可能となる。
【図面の簡単な説明】
【００１２】
【図１】第１の実施の形態におけるかつらベースの全体構成を示す斜視図である。
【図２】図１のかつらベースの形成方法の一例を示した斜視図である。
【図３】図１のかつらベースの断面を示した図である。
【図４】第２の実施の形態におけるかつらベースの全体構成を示す斜視図である。
【図５】（ａ）及び（ｂ）は図４のかつらベースの形成方法の一例を示した斜視図である。
【図６】第３の実施の形態におけるかつらベースの全体構成を示す斜視図である。
【図７】図６のかつらベースの形成方法の一例を示した斜視図である。
【図８】第４の実施の形態におけるかつらベースの全体構成を示す斜視図である。
【図９】（ａ）及び（ｂ）は図８のかつらベースの形成方法の一例を示した斜視図である。
【図１０】（ａ）は第６の実施の形態としてのかつらベースの断面を示した図である。（ｂ）及び（ｃ）は（ａ）におけるＡ部を拡大して示した図である。
【図１１】（ａ）は第７の実施の形態としての、もみ上げ部分まで覆う形の全頭用かつらのかつらベースの側面図、（ｂ）はその上面図である。
【図１２】第７の実施の形態の変形例としての、もみ上げ部分を覆わない形の全頭用かつらのかつらベースの側面図である。
【発明を実施するための最良の形態】
【００１３】
以下、本発明の実施の形態に係るかつらベースについて、図面を参照しながら説明する。
（第１の実施の形態）
図１は、第１の実施の形態におけるかつらベース１０の全体構成を示す斜視図である。このかつらベース１０は人毛及び人工毛が植設される網地状基布としての基部ネット部１１及び分け目ネット部１３（以下、２つ合わせて単にネット部１１という）で形成されている。尚、図１に示すかつらベース１０は、人毛又は人工毛を植設していない状態を示している。【００１４】
このかつらベース１０は、円形で形成されたネット部１１の周縁に環状のネット外周縁部１２を設けている。このネット外周縁部１２により、ネット部１１が曲面状に湾曲され、使用者の頭部に沿うような椀形状を形成している。【００１５】
このネット外周縁部１２は、本例では、外周縁を折り返して形成する。尚、ネット外周縁部１２の形成方法はこれに限ることなく、例えば、弾力性を有する樹脂シートを裁断して成る環状リボンをネット部１１の周縁に縫着又は熱溶着して設けるようにしても良い。【００１６】
また、ネット外周縁部１２の少なくとも一部は、内側に湾曲した湾曲部１４が形成されている。これにより、例えば、この湾曲部１４がかつらベース１０の前頭部に形成されている場合には、このかつらベース１０を使用者が装着し、櫛などで人毛及び人工毛を梳かしても、この湾曲部１４が外側に反り返りにくい。【００１７】
図２は、ネット外周縁部１２を内側に湾曲して形成させる形成方法の一例を示した斜視図である。ネット外周縁部１２の少なくとも一部に、適宜の当付部材１５をネット外周縁部１２の裏側に沿い付けて縫い合わせる。このとき、当付部材１５に対し、ネット外周縁部１２をいせこみながら縫い付ける。【００１８】
尚、いせこみは、長い縫い代を、この長い縫い代よりも短い縫い代に対し、縫い取り方向へ少しずつ寄せ込むことを言い、このように、いせこみながら縫うことをいせこみ縫いと言う。【００１９】
これにより、このいせこみ縫い部分が内側への反り返り、つまり内側への湾曲を形成し、外側には反り返らないように形成される。すなわち、使用者が装着したときに櫛などで人毛及び人工毛を梳かしても湾曲部１４が外側に反り返りにくいように形成されている。【００２０】
つまり、かつらを装着した際に一番目立つ生え際部分に、いせこみ縫いを施して内側への反り返り癖をつけ、使用者の前頭部に常に密着するようにしている。これにより、外観的にも安定した装着態様となり、使用者にとって快適な外観を有するかつらとなる。【００２１】
また、基部ネット部１１の一部に形成されている分け目ネット部１３がネット外周縁部１２の一部となる場合には、同様にいせこみ縫いによる内側への反り返りを形成し、外側に反り返らないようにする。【００２２】
図３は、かつらベース１０の断面を示した図である。上述したように、かつらベース１０の前頭部には、不図示の当付部材に対するいせこみ縫いにより、内側への反り返りが形成されている（尚、同図は判りやすく説明するために反り返りをやや極端に示している）。このように縁部を内側に反り返えさせることで、頭部への縁部の密着感が良くなる。【００２３】
（第２の実施の形態）
図４は、第２の実施の形態におけるかつらベース２０の全体構成を示す斜視図である。このかつらベース２０も人毛及び人工毛が植接される基部ネット部２１及び分け目ネット部２３（以下、２つ合わせて単にネット部２１という）で形成されている。尚、図４においても、かつらベース２０は、人毛又は人工毛を植設していない状態を示している。【００２４】
本実施の形態におけるかつらベース２０は、ネット外周縁部２２の少なくとも一部が波形に形成されている。この波形に形成された波形部２６は、使用者の前頭部に当接する部分に形成される。このように形成することで、生え際がより目立ちにくくなる。【００２５】
また、この波形部２６は、内側に湾曲して形成されている。これにより、例えば、この波形部２６がかつらベース２０の前頭部に形成されている場合には、このかつらベース２０を使用者が装着し、櫛などで人毛及び人工毛を梳かしても、この波形部２６が外側に反り返りにくい。【００２６】
図５（ａ）は、波形部２６を内側に湾曲して形成させる形成方法の一例を示した斜視図である。この波形部２６には、一辺が波形で形成された当付部材２５を裏から当てて、波形部２６を当付部材２５に対しいせこみ縫いをして、内側への反り返りが形成されるようにする。このように形成することで、波形部２６は、使用者の前頭部の装着部分が外側に反り返らないので、縁部の装着感が良くなる。尚、この当付部材２５は、図５（ｂ）に示すように当付部材２４の上辺も波形に形成させてもよい。【００２７】
（第３の実施の形態）
図６は、第３の実施の形態におけるかつらベース３０の全体構成を示す斜視図である。このかつらベース３０も人毛及び人工毛が植設される基部ネット部３１及び分け目ネット部３３（以下、２つ合わせて単にネット部３１という）で形成されている。尚、図６においても、かつらベース３０は人毛又は人工毛を植設していない状態を示している。【００２８】
図６に示すように、本例のかつらベース３０は、ネット部３１のネット外周縁部３２の全周にわたって内側に湾曲して形成されている。このように形成することで、本例のかつらベース３０は、ネット外周縁部３２が全周にわたって外側に反り返りにくい。【００２９】
図７は、外周縁部３２を内側に湾曲して形成させる形成方法の一例を示した斜視図である。図７に示すように、本例のかつらベース３０には、前述してきたと同様に当付部材３５を裏から当てて、ネット部３１の縁全周にわたって、いせこみ縫いを施したことにより、内側への反り返りが形成されている。【００３０】
このように形成することにより、使用者がこのかつらベース３０で作製されたかつらを装着したとき、縁部が全周にわたって外側へは反り返りにくくなっているため、常に快適な装着感が得られる。【００３１】
（第４の実施の形態）
図８は、第４の実施の形態におけるかつらベース４０の全体構成を示す斜視図である。このかつらベース４０も人毛及び人工毛が植設される基部ネット部４１及び分け目ネット部４３（以下、２つ合わせて単にネット部４１という）で形成されている。尚、図８においても、かつらベース４０は人毛又は人工毛を植設していない状態を示している。【００３２】
図８に示すように、ネット部４１の外周縁部４２は、全周が波形に形成されている。このように形成することにより、全周にわたって生え際がより目立ちにくくなる。また、この場合も、波形に形成されたネット部４１の外周縁部４２には、前述してきたと同様のいせこみ縫いを施したことにより、内側への反り返りが形成されている。【００３３】
図９（ａ）は、外周縁部４２を内側に湾曲して形成させる形成方法の一例を示した斜視図である。図９（ａ）に示すように、本例のかつらベース４０にも、前述してきたと同様に当付部材４５を裏から当てて、ネット部４１の外周縁部４２の全周にわたって、いせこみ縫いを施したことにより、内側への反り返りが形成されている。【００３４】
このように形成することにより、使用者がこのかつらベース４０で作製されたかつらを装着したとき、外周縁部４２が全周にわたって外側へは反り返りにくくなっているため、常に快適な装着感が得られる。尚、この当付部材４５は、図９（ｂ）に示すように当付部材４５の上辺も波形に形成させてもよい。【００３５】
このように、上述したいずれの実施の形態においても、かつらベースの縁部の主要な一部又は全周に、縁部を当付部材に対していせこみながら縫い付けたいせこみ縫い部分を形成するので、生え際でかつらが外側に反り返ることなく常に頭部に密着し、快適な装着状態が得られる。【００３６】
また、かつらベースの縁部は、いせこんで縫い付けるための例えば網地状基布等からなる当付部材を使用するだけで、金属材料を用いた芯材などは用いないので、金属材料が汗に溶け込んでイオン化して頭部にアレルギーを引き起こすおそれがない。【００３７】
また、かつらベースの縁部に、金属材料などの芯材を用いないので、縁部が厚く持ち上がって外観を損ねるおそれもない。
ところで、上記第１〜第４の実施の形態では、かつらベースの縁部を内側に湾曲させるために、網地状基布（基部ネット部及び分け目ネット部）の縁部外周の裏側に沿って当て付けた当付部材に対して網地状基布の縁部外周を寄せ込みながら縫い付けることにより湾曲部を形成しているが、湾曲部の形成はこれに限るものではない。以下、湾曲部の他の形成方法について、第５及び第６の実施形態として説明する。【００３８】
（第５の実施の形態）
第５の実施の形態においては、特には図示しないが、湾曲部の形成は、網地状基布の縁部外周を裏側に１回以上折り返し、この裏側の折り返し部分を寄せ込みながら表側縁部に縫い付けることにより形成する。このようにして形成した湾曲部の形状は、上述した第１〜第４の実施の形態にも、そのまま適用できる。【００３９】
（第６の実施の形態）
図１０（ａ）は、第６の実施の形態におけるかつらベース６０の断面を示した図である。（尚、同図は判りやすく説明するために反り返りをやや極端に示している）。このように縁部を内側に反り返えさせることで、頭部への縁部の密着感が良くなる。【００４０】
図１０（ｂ）、（ｃ）は図１０（ａ）における外周縁部Ａを拡大して示した図である。図１０（ｂ）に示すように、このかつらベース６０はネット部６１の表面又は裏面に二重に配置される網地状基布６６がネット部６１に連結される場合のかつらベースが前提となる。尚、図１０（ｂ）、（ｃ）では、網地状基布６６がネット部６１の裏面（内側）に配置されている。【００４１】
図１０（ｃ）に示すように、外周縁部６２の形成は、裏側に配置された網地状基布６６を裏側に引き込むようにずらし、表側に配置されたネット部６１の外周縁部６２を、上記のずらし量に対応して裏側にずらし込むことにより形成することができる。このようにして形成した外周縁部６２の形状も、上述した第１〜第４の実施の形態に、そのまま適用できる。【００４２】
尚、第１〜第４の実施の形態においてはかつらベースの形状を、伏せた椀形の形状で示し、やや部分かつらのかつらベースの如くに示しているが、第１〜第４及び上記第５及び第６の実施の形態のかつらベースは、これに限るものではない。【００４３】
（第７の実施の形態）
図１１（ａ）は、第７の実施の形態としての、もみ上げ部分まで覆う形の全頭用かつらのかつらベースの側面図であり、同図（ｂ）はその上面図である。尚、同図（ａ）、（ｂ）は、各部の輪郭のみを示す線図で示しており、人毛又は人工毛を植設していない状態を示している。【００４４】
図１１（ａ）、（ｂ）においても、第１〜第６の実施の形態で説明したように、かつらベースの縁部の一部又は全周に、いせこみ縫い又はその他の方法による湾曲部を形成することができる。また、前頭部又は全周の生え際の部分を波形に形成して、この部分に湾曲部を形成するようにしてもよい。【００４５】
（第７の実施の形態の変形例）
図１２は、第７の実施の形態の変形例としての、もみ上げ部分を覆わない形の全頭用かつらのかつらベースの側面図である。尚、上面図は図示を割愛している。【００４６】
図１２のかつらベースにおいても、第１〜第６の実施の形態で説明したように、かつらベースの縁部の一部又は全周に、いせこみ縫い又はその他の方法による湾曲部を形成することができる。また、前頭部又は全周の生え際の部分を波形に形成して、この部分に湾曲部を形成するようにしてもよい。
【図１】
2008149555.tif 000003
【図２】
2008149555.tif 000004
【図３】
2008149555.tif 000005
【図４】
2008149555.tif 000006
【図５】
2008149555.tif 000007
【図６】
2008149555.tif 000008
【図７】
2008149555.tif 000009
【図８】
2008149555.tif 000010
【図９】
2008149555.tif 000011
【図１０】
2008149555.tif 000012
【図１１】
2008149555.tif 000013
【図１２】
2008149555.tif 000014
【国際調査報告】
2008149555.tif 000015
2008149555.tif 000016
2008149555.tif 000017
2008149555.tif 000018
2008149555.tif 000019